(57)【要約】      （修正有）【課題】トリガーレバーの操作性に優れ、低位置に対しても液状物を安定的に噴出することができるトリガー式液状物噴出器及びトリガースプレイヤーを提供する。【解決手段】トリガーレバー７は、その一端部が、噴出器本体２における縦流路３０と噴出孔４１との間に回動可能に軸支されて回動軸７０が形成され、回動軸７０から噴出器本体２の下方を反噴出方向Ｙ２に向かって延び、トリガーレバー７の他端部７１側が、後側延出部５の下方に位置している。トリガーレバー７を回動軸７０周りに回動させてその他端部７１側を後側延出部５側に引き寄せる操作により、トリガーレバー７における前記一端部と他端部７１との間の中間部で、ポンプ機構の構成部材３３を押圧可能になされている。【選択図】図２
2013132625.tif 000002
【特許請求の範囲】
【請求項１】
容器の口頸部に装着して使用されるトリガー式液状物噴出器で、該容器内の液状物を吸引し噴出孔へ送出するポンプ機構を有する噴出器本体と、該噴出器本体を該口頸部に着脱自在に装着する装着部と、該噴出器本体に回動可能に取り付けられたトリガーレバーとを具備し、該トリガーレバーを回動させて該ポンプ機構を操作することにより該噴出孔から該液状物を噴出させるトリガー式液状物噴出器であって、
前記噴出器本体は、前記装着部の真上に位置し且つ該装着部の中心軸に沿う縦方向に延びる前記液状物の縦流路を有する装着部上方部と、該装着部上方部から該液状物の噴出方向に延出し且つその延出方向の端部に前記噴出孔を有する前側延出部と、該装着部上方部から該噴出方向とは反対方向に延出する後側延出部とを有し、
前記トリガーレバーは、その一端部が、前記噴出器本体における前記縦流路と前記噴出孔との間に回動可能に軸支されて回動軸が形成され、該回動軸から該噴出器本体の下方を前記噴出方向とは反対方向に向かって延び、該トリガーレバーの他端部側が、前記後側延出部の下方に位置しており、
前記トリガーレバーを前記回動軸周りに回動させて該トリガーレバーの他端部側を前記後側延出部側に引き寄せる操作により、該トリガーレバーにおける前記一端部と該他端部との間の中間部で、前記ポンプ機構の構成部材を押圧可能になされているトリガー式液状物噴出器。
【請求項２】
前記噴出器本体の上面は、段差部を挟んで相対的に高い位置に存する高位置部と、該段差部を挟んで相対的に低い位置に存する低位置部とを有し、該低位置部が前記後側延出部に存している請求項１記載のトリガー式液状物噴出器。
【請求項３】
前記トリガーレバーの一部が前記装着部の側方に存している請求項１又は２記載のトリガー式液状物噴出器。
【請求項４】
前記噴出器本体に、内部に手指を挿通可能に形成された指掛け部が設けられている請求項１〜３の何れか一項に記載のトリガー式液状物噴出器。
【請求項５】
前記トリガーレバーは、前記回動軸から下方又は前記噴出方向に向かって斜め下方に延びる補助指掛け部を有している請求項１〜４の何れか一項に記載のトリガー式液状物噴出器。
【請求項６】
液状物を収容する容器の口頸部に、請求項１〜５の何れか一項に記載のトリガー式液状物噴出器が装着されたトリガースプレイヤー。
【請求項７】
前記トリガースプレイヤーの正立状態において、前記容器の重心を通過して鉛直方向に延びる仮想直線を引いた場合に、該仮想直線が前記トリガーレバーの他端部側を通過する請求項６記載のトリガースプレイヤー。
【請求項８】
前記トリガースプレイヤーの側面視において、前記容器における前記噴出方向とは反対方向側の縁は、該容器における該噴出方向側の縁に比して、該容器の外方に向けて大きく膨らんでいる請求項７記載のトリガースプレイヤー。
【発明の詳細な説明】
【技術分野】
【０００１】
本発明は、液状物が収容された容器の口頸部に装着されて使用されるトリガー式液状物噴出器、及びこれを用いたトリガースプレイヤーに関する。
【背景技術】
【０００２】
従来、液状の糊剤、洗浄剤、漂白剤、防臭消臭剤等の液状物の噴出装置の１つとして、液状物の噴出手段としてのトリガー式液状物噴出器と液状物を収容する容器とを含んで構成される、トリガースプレイヤーが知られている（例えば特許文献１〜３参照）。このトリガー式液状物噴出器は、噴出器本体に対してトリガーレバーを回動自在に取り付け、該トリガーレバーを手指で把持して手前側に引く等の操作をすることにより、シリンダ及びピストン等からなるポンプ機構を作動させ、その圧縮力により噴出孔から容器内の液状物を噴出させる方式のものである。
【０００３】
図８には、従来のトリガースプレイヤーの一例が示されている。図８に示すトリガースプレイヤー８０においては、液状物を噴出するノズル８１及び容器９０内の液状物を吸引しノズル８１へ送出するポンプ機構を有する噴出器本体８２と、容器９０の口頸部９１とが当接し、その当接部の外周を覆う装着部としてのキャップ８３が口頸部９１に螺着することにより、噴出器本体８２と容器９０とが固定されている。噴出器本体８２の内部には、キャップ８３の中心軸に沿う縦方向（図中Ｘ方向）に延びる液状物の縦流路（図示せず）が形成されており、縦方向Ｘに延びて容器９０の底部まで達する吸引パイプ８４が該縦流路に連通している。噴出器本体８２にはトリガーレバー８５が回動可能に取り付けられており、トリガーレバー８５は、その一端部が、噴出器本体８２における前記縦流路とノズル８１との間に回動可能に軸支されて回動軸８６が形成され、該回動軸８６から略垂直に下方に延び、該トリガーレバー８５の他端部８７側は、ノズル８１の下方に位置している。トリガーレバー８５は、回動軸８６と他端部８７との中間部で、ポンプ機構を構成するピストン８８に連結されており、また、スプリング等の付勢手段（図示せず）によって前記縦流路から遠ざかるように付勢されている。前記ポンプ機構は前記縦流路と連通している。
【０００４】
図８に示すトリガースプレイヤー８０においては、略垂直に取り付けられたトリガーレバー８５とキャップ８３（容器９０の口頸部９１）とを一緒に握って該トリガーレバー８５を該キャップ８３側に引き寄せる操作により、トリガーレバー８５の回動軸８６と他端部８７との中間部が、ピストン８８を液状物の噴出方向Ｙ１とは反対方向（図中Ｙ２方向）に押圧する。このような、トリガーレバー８５によるピストン８８の加圧操作又はその解除により、前記ポンプ機構を操作して、容器９０内の液状物をノズル８１から噴出することができる。
【先行技術文献】
【特許文献】
【０００５】
【特許文献１】特開平６−３２００７４号公報
【特許文献２】特開平８−１９６９５５号公報
【特許文献３】特開２００９−１６０５７３号公報
【発明の概要】
【発明が解決しようとする課題】
【０００６】
図８に示す如き従来のトリガースプレイヤーは、トリガーレバーが回動軸から下方（容器側）に向かって略垂直に延びており、トリガーレバーの力点（トリガーレバーを回動させる際に手指が掛けられる部分）にかける力（握力）の方向が、液状物の噴出方向あるいはその反対方向と略平行であるため、例えば、腕を下げた状態でトリガーレバーを操作して液状物を噴出させる場合、具体的には、床や浴槽の中等の比較的低位置に対して液状物を噴出させる場合、トリガースプレイヤーを握る手首を不自然な角度で固定したり、容器を極端に傾けたり倒立させたりしなければならず、トリガーレバーの操作が困難であった。
【０００７】
従って本発明の課題は、トリガーレバーの操作性に優れ、低位置に対しても液状物を安定的に噴出することができるトリガー式液状物噴出器及びトリガースプレイヤーを提供することにある。
【課題を解決するための手段】
【０００８】
本発明は、容器の口頸部に装着して使用されるトリガー式液状物噴出器で、該容器内の液状物を吸引し噴出孔へ送出するポンプ機構を有する噴出器本体と、該噴出器本体を該口頸部に着脱自在に装着する装着部と、該噴出器本体に回動可能に取り付けられたトリガーレバーとを具備し、該トリガーレバーを回動させて該ポンプ機構を操作することにより該噴出孔から該液状物を噴出させるトリガー式液状物噴出器であって、前記噴出器本体は、前記装着部の真上に位置し且つ該装着部の中心軸に沿う縦方向に延びる前記液状物の縦流路を有する装着部上方部と、該装着部上方部から該液状物の噴出方向に延出し且つその延出方向の端部に前記噴出孔を有する前側延出部と、該装着部上方部から該噴出方向とは反対方向に延出する後側延出部とを有し、前記トリガーレバーは、その一端部が、前記噴出器本体における前記縦流路と前記噴出孔との間に回動可能に軸支されて回動軸が形成され、該回動軸から該噴出器本体の下方を前記噴出方向とは反対方向に向かって延び、該トリガーレバーの他端部側が、前記後側延出部の下方に位置しており、前記トリガーレバーを前記回動軸周りに回動させて該トリガーレバーの他端部側を前記後側延出部側に引き寄せる操作により、該トリガーレバーにおける前記一端部と該他端部との間の中間部で、前記ポンプ機構の構成部材を押圧可能になされているトリガー式液状物噴出器を提供することにより、前記課題を解決したものである。
【０００９】
また本発明は、液状物を収容する容器の口頸部に、前記トリガー式液状物噴出器が装着されたトリガースプレイヤーを提供することにより、前記課題を解決したものである。
【発明の効果】
【００１０】
本発明によれば、トリガーレバーの操作性に優れ、床や浴槽の中等の低位置に対しても液状物を安定的に噴出することができるトリガー式液状物噴出器及びトリガースプレイヤーが提供される。
【図面の簡単な説明】
【００１１】
【図１】図１は、本発明のトリガー式液状物噴出器の第１実施形態の模式的な斜視図である。
【図２】図２は、図１に示すトリガー式液状物噴出器の模式的な側断面図である。
【図３】図３は、図１に示すトリガー式液状物噴出器を容器の口頸部に装着した状態を、一部を切り欠いて示した側面図であり、本発明のトリガースプレイヤーの一実施形態の模式的な側面図である。
【図４】図４は、図１に示すトリガー式液状物噴出器（図３に示すトリガースプレイヤー）の使用例を示す模式的な斜視図である。
【図５】図５は、本発明のトリガー式液状物噴出器の第２実施形態の模式的な斜視図である。
【図６】図６は、本発明のトリガー式液状物噴出器の第３実施形態を示す図で、容器の口頸部に装着した状態を示す模式的な斜視図である。
【図７】図７は、本発明のトリガー式液状物噴出器の第４実施形態を示す図で、容器の口頸部に装着した状態を示す模式的な斜視図である。
【図８】図８は、従来のトリガースプレイヤーの一例の模式図（図３相当図）である。
【発明を実施するための形態】
【００１２】
以下、本発明のトリガー式液状物噴出器及びトリガースプレイヤーを、それらの好ましい実施形態に基づき図面を参照して説明する。図１及び図２には、本発明のトリガー式液状物噴出器の第１実施形態である液状物噴出器１が示されている。液状物噴出器１は、図３に示すように、液状物を収容する容器１０の口頸部１１（液状物の出し入れに利用される貫通孔を画成部分）に装着して使用されるものであり、口頸部１１に液状物噴出器１が装着されたトリガースプレイヤー１５は、本発明のトリガースプレイヤーの一実施形態である。
【００１３】
第１実施形態の液状物噴出器１は、容器１０内の液状物を吸引し噴出孔４１へ送出するポンプ機構を有する噴出器本体２と、噴出器本体２を容器１０の口頸部１１に着脱自在に装着する装着部６と、噴出器本体２に回動可能に取り付けられたトリガーレバー７とを具備し、トリガーレバー７を回動させて前記ポンプ機構を操作することにより噴出孔４１から前記液状物を噴出させるように構成されている。第１実施形態における装着部６は、口頸部１１の外面に螺着可能な円筒形状のキャップである。
【００１４】
噴出器本体２は、図２に示すように、装着部６の真上に位置し且つ装着部６の中心軸ＣＬに沿う縦方向Ｘに延びる液状物の縦流路３０を有する装着部上方部３と、装着部上方部３から液状物の噴出方向Ｙ１に延出し且つその延出方向の先端部に噴出孔４１を有する前側延出部４と、装着部上方部３から噴出方向Ｙ１とは反対方向（以下、反噴出方向ともいう）Ｙ２に延出する後側延出部５とを有している。前側延出部４及び後側延出部５は、それぞれ、装着部上方部３から略水平に延びている。液状物噴出器１の下面視（液状物噴出器１を装着部６側から見た場合）において、装着部６の真上に位置する装着部上方部３は装着部６と重なるのに対し、前側延出部４及び後側延出部５は、装着部６と重ならず、それらの下面が露出している。
【００１５】
更に説明すると、噴出器本体２は、図２に示すように、装着部６の上端から上方に向けて略鉛直方向に起立する縦管体２０と、該縦管体２０から噴出方向Ｙ１に略水平に延出する横管体２１と、両管体２０，２１を覆い噴出器本体２の外面を形成するカバー体２２とを有している。両管体２０，２１の外面及びカバー体２２の内面には、それぞれ、係合凸部が複数形成されており、両管体２０，２１の係合凸部とカバー体２２の係合凸部とが互いに係合することによって、カバー体２２は両管体２０，２１を覆うように取り付けられている。縦管体２０の内部には、略鉛直方向に延びる縦流路３０が形成され、横管体２１の内部には、略水平方向に延びる横流路３１が形成されており、縦流路３０と横流路３１とは互いに連通している。横管体２１には、噴出孔４１を備えるノズル４０が設けられている。装着部上方部３は、縦管体２０の全部並びに横管体２１及びカバー体２２それぞれの一部を含んで構成されており、前側延出部４は、ノズル４０の全部並びに横管体２１及びカバー体２２それぞれの他の一部を含んで構成されており、後側延出部５は、カバー体２２の更に他の一部を含んで構成されている。後側延出部５は、カバー体２２を主体として構成されており、後側延出部５を構成するカバー体２２の内部は空間部となっている。
【００１６】
また、噴出器本体２は、縦管体２０（縦流路３０）とトリガーレバー７との間にシリンダ３２を有している。シリンダ３２は、その略全長が装着部上方部３に位置している。シリンダ３２内には、トリガーレバー７の回動移動によりシリンダ３２内を摺動するピストン３３が、付勢手段としてのスプリング３４（弾性部材）を介して配されている。ピストン３３の摺動方向は、液状物の噴出方向Ｙ１あるいは反噴出方向Ｙ２と略平行である。シリンダ３２、ピストン３３及びスプリング３４は、何れも、容器１０内の液状物を吸引し噴出孔４１へ送出するポンプ機構の構成部材である。
【００１７】
シリンダ３２内と縦管体２０内の縦流路３０とは、シリンダ３２の壁面部及び縦管体２０を貫く連通路３５で連通されている。シリンダ３２の側面部には、外部から容器１０内に空気を導入するための吸気孔３６が設けられている。吸気孔３６は、容器１０内に通じる吸気路（図示せず）に連通されており、ピストン３３がトリガーレバー７により押圧されて縦管体２０（縦流路３０）側に位置しているときに、容器１０の内部空間を外気と連通させ、該内部空間の負圧を解消させる役割を果たす。
【００１８】
縦管体２０の内部（縦流路３０）には、下端部（装着部６側の端部）にボール状入側逆止弁３７が設けられており、これと反対側の上端部には、弁体３８ａ及び二連空洞部３８ｂを有する出側逆止弁３８が設けられている。縦流路３０は、出側逆止弁３８を介して横流路３１と連通し、横流路３１は噴出孔４１を介して外部と連通している。縦管体２０の下端部には、容器１０内の液状物を吸引するときの流路となる吸引パイプ３９が連結されており、吸引パイプ３９の内部は縦流路３０と連通している。
【００１９】
トリガーレバー７は、図２に示すように、その一端部（図示せず）が、噴出器本体２における縦流路３０と噴出孔４１との間に回動可能に軸支されて回動軸７０が形成され、回動軸７０から噴出器本体２の下方を反噴出方向Ｙ２に向かって延び、該トリガーレバー７の他端部７１側が、後側延出部５の下方に位置している。即ち、トリガーレバー７は、縦流路３０を挟んで噴出方向Ｙ１側に一端部（回動軸７０）、反噴出方向Ｙ２側に他端部７１を有し、縦流路３０を反噴出方向Ｙ２に跨ぐように形成されている。トリガーレバー７の他端部７１側は、トリガーレバー７の他端部７１及びその近傍であり、より具体的には、トリガーレバー７における、装着部６を越えて反噴出方向Ｙ２に延出している部分（図３に示す如き液状物噴出器１の側面視において、トリガーレバー７における、装着部６と該トリガーレバー７の他端部７１との間に位置する部分）である。トリガーレバー７の他端部７１側と後側延出部５とは、所定の離間距離を置いて相対向している。第１実施形態においては、トリガーレバー７は、図示しない一端部をピン（図示せず）で前側延出部４に前後揺動可能に軸支されており、回動軸７０は前側延出部４に形成されている。トリガーレバー７の他端部７１側は、トリガーレバー７を回動軸７０周りに回動させる際に手指が掛けられる部分、即ち、トリガーレバー７の力点を含む部分である。
【００２０】
トリガーレバー７は、図２に示すように、一端部（回動軸７０）と他端部７１との間の中間部がピストン３３（前記ポンプ機構の構成部材）に係合されている。より具体的には、トリガーレバー７の前記中間部の裏面（装着部６との対向面）には、ピストン３３の先端の凸部３３ａと当接してピストン３３の作用点となる、湾曲面を有する凹面部７２が形成されている。従って、トリガーレバー７の他端部７１側に手指を掛けて回動軸７０周りにトリガーレバー７を回動させると、トリガーレバー７の前記中間部に存する凹面部７２がピストン３３の凸部３３ａを反噴出方向Ｙ２に押圧し、これによりピストン３３は、図２に示す状態からシリンダ３２内を反噴出方向Ｙ２に摺動し、縦管体２０（縦流路３０）側に位置する。このように、第１実施形態においては、トリガーレバー７の前記中間部（凹面部７２）による前記ポンプ機構の構成部材の押圧方向は、液状物の噴出方向Ｙ１と略平行で且つ該噴出方向とＹ１は反対方向であり、即ち反噴出方向Ｙ２と一致している。
【００２１】
第１実施形態においては、図１及び図２に示すように、トリガーレバー７の一部が装着部６の側方に存している。即ち、図３に示す如き液状物噴出器１（トリガースプレイヤー１５）の側面視において、トリガーレバー７と装着部６とが重なっている。第１実施形態におけるトリガーレバー７は、一端部（回動軸７０）と他端部７１との間の中間部、より具体的には、凹面部７２（ピストン３３の作用点）と他端部７１との間の中間部に、トリガーレバー７を厚み方向に貫通する貫通孔７３（図１参照）を有しており、この貫通孔７３に装着部６が挿通されている。そのため、第１実施形態においては、装着部６はトリガーレバー７に包囲されている。このように、トリガーレバー７の一部が装着部６の側方に存していると、トリガーレバー７の一部が装着部６の側方に存しておらず、例えば、装着部６より下方を反噴出方向Ｙ２に向かって延びている場合に比して、液状物噴出器１がコンパクトになり、それによって液状物噴出器１の操作性が向上し、更には、適用可能な容器の範囲が広がる。
【００２２】
また、トリガーレバー７が、縦流路３０を挟んで噴出方向Ｙ１側に一端部（回動軸７０）、反噴出方向Ｙ２側に他端部７１を有し、更に、縦流路３０を通過させるべく形成された貫通孔７３を有し、且つトリガーレバー７の他端部７１が、凹面部７２（ピストン３３の作用点）と縦流路３０（貫通孔７３）の近傍で連結されていることにより、トリガーレバー７において、他端部７１に対して加えられた操作力がバランスよく該作用点（凹面部７２）に伝達されるため、トリガーレバー７の操作力を小さくでき、トリガーレバー７を薄くし軽量にすることができる。
【００２３】
第１実施形態においては、図１及び図２に示すように、噴出器本体２の上面２５（トリガーレバー７との対向面とは反対側の面）は、段差部２６を挟んで相対的に高い位置に存する高位置部２５Ａと、段差部２６を挟んで相対的に低い位置に存する低位置部２５Ｂとを有し、低位置部２５Ｂが後側延出部５に存している。低位置部２５Ｂは、後側延出部５の反噴出方向Ｙ２の先端部５１から噴出方向Ｙ１に所定距離に亘って存しており、トリガーレバー７を回動させる際に手指が掛けられる、トリガーレバー７の他端部７１側の上方に位置している。
【００２４】
トリガーレバー７を回動軸７０周りに回動させる際には、通常、図４に示すように、トリガーレバー７の他端部７１側に親指以外の指を掛けると共に、他端部７１側の上方に位置する後側延出部５の上面（上面２５の一部）に親指を当てて液状物噴出器１を把持し、その状態からトリガーレバー７の他端部７１側及び後側延出部５を握ってこれらに握力を及ぼすところ、後側延出部５の上面が、周辺部（高位置部２５Ａ）に比して相対的に低い位置にある低位置部２５Ｂを有していることにより、この低位置部２５Ｂに親指を当てた場合には、高位置部２５Ａに親指を当てた場合に比して、親指とその下方に位置する他端部７１側に掛けられた他の指との離間距離が短くなるため、トリガーレバー７の操作性が一層向上し、後側延出部５及びトリガーレバー７の他端部７１側が握り易くなり、使用者が握力を発揮し易く、液状物の噴出操作が一層容易になる。
【００２５】
また、図１及び図２に示すように、噴出器本体２には、内部に手指（親指）を挿通可能に形成された指掛け部２７が設けられている。第１実施形態においては、噴出器本体２（後側延出部５）の外面に指掛け部２７が設けられている。より具体的には、噴出器本体２の上面２５（後側延出部５の上面）には、後側延出部５の反噴出方向Ｙ２の先端部５１から上方に突出し且つ噴出方向Ｙ１に延びる、図３に示す如き側面視において上方に向けて凸のリング部材２８が設けられており、このリング部材２８と上面２５における該リング部材２８の下方に位置する部分（低位置部２５Ｂ）とにより、指掛け部２７が形成されている。従って、指掛け部２７は、トリガーレバー７の他端部７１側の上方に位置している。このように、噴出器本体２の外面に指掛け部２７が形成されていると、指掛け部２７の内部に挿通された指の位置が安定するため、トリガーレバー７を回動軸７０周りに回動させる操作がより一層安定する。また、トリガーレバー７を操作せずに、液状物噴出器１又はこれを容器１０に装着してなるトリガースプレイヤー１５を把持する場合は、指掛け部２７の内部に指を挿通する等して、指掛け部２７のみを把持すれば良く、指掛け部２７は、液状物噴出器１又はトリガースプレイヤー１５の把持部としても機能する。
【００２６】
図３には、液状物噴出器１を容器１０の口頸部１１に装着してなる、正立状態のトリガースプレイヤー１５が示されている。液状物噴出器１は、装着部６（キャップ）を容器１０の口頸部１１の外面に螺着させることによって、容器１０に固定されている。
【００２７】
図３に示す如きトリガースプレイヤー１５の側面視（噴出方向Ｙ１あるいは反噴出方向Ｙ２及び上下方向と直交する方向から見た場合）において、容器１０における反噴出方向Ｙ２側の縁１０ｂは、該容器１０における噴出方向Ｙ１側の縁１０ａに比して、該容器１０の外方（前後方向の外方）に向けて大きく膨らんでいる。より具体的には、容器１０は、図３に示す如き正立状態での側面視において、噴出方向Ｙ１側の縁１０ａ（容器１０の前面の輪郭線）が、略鉛直方向に延びる直線状であるのに対し、反噴出方向Ｙ２側の縁１０ｂ（容器１０の後面の輪郭線）が、口頸部１１（装着部６）の下端部近傍から反噴出方向Ｙ２に向かって斜め下方に延びる部分を有しており、後面側が反噴出方向Ｙ２側に向かって膨らんだ膨出部を有している。斯かる容器１０の前後非対称形状は、図８に示す容器９０の前後非対称形状とは前後が逆になっており、容器９０は、図８に示すように、前面側が噴出方向Ｙ１側に向かって膨らんでいる。
【００２８】
第１実施形態においては、図３に示す如きトリガースプレイヤー１５の正立状態において、容器１０の重心Ｐ（液状物噴出器が装着されていない状態での容器の重心）を通過して鉛直方向（図３の上下方向、縦方向Ｘ）に延びる仮想直線Ｌを引いた場合に、仮想直線Ｌが、トリガーレバー７の他端部７１側（図３に示す如き液状物噴出器１の側面視において、トリガーレバー７における、装着部６と該トリガーレバー７の他端部７１との間に位置する部分）を通過する。前述したように、トリガーレバー７の他端部７１側は、トリガーレバー７を回動軸７０周りに回動させる際に手指が掛けられて力点となる部分を含むところ、このトリガーレバーの力点が、容器１０の重心Ｐを通過して鉛直方向に延びる仮想直線Ｌ上、あるいは仮想直線Ｌの近傍に位置していると、該力点に作用する上向きの力によって持ち上げられた状態にあるトリガースプレイヤー１５の姿勢、特に、下げた腕の手指にトリガーレバー７の他端部７１側を引っ掛けてトリガースプレイヤー１５を該手指にぶら下げたときの該トリガースプレイヤー１５の姿勢が安定し、それによって容器１０内の液状物をより安定的に噴出することが可能となる。
【００２９】
トリガースプレイヤー１５（液状物噴出器１）を使用する（容器１０内の液状物を噴出させる）には、トリガーレバー７を回動軸７０周りに回動させて該トリガーレバー７の他端部７１側を後側延出部５側に引き寄せる操作を行う。具体的には、例えば図４に示すように、後側延出部５の下方に位置する、トリガーレバー７の他端部７１側に、親指以外の手指を掛けると共に、該他端部７１側の上方に位置する、後側延出部５の上面の指掛け部２７の内部に親指を挿通して液状物噴出器１を把持し、その状態からトリガーレバー７の他端部７１側及び後側延出部５を握ってこれらに握力を及ぼす。すると、トリガーレバー７は、他端部７１側の手指が掛けられた部分を力点とする上向きの圧力によって回動軸７０周りに回動し、それによって、トリガーレバー７の一端部（回動軸７０）と他端部７１との間の中間部の裏面に形成された凹面部７２が、前記ポンプ機構の構成部材であるピストン３３の作用点として機能し、シリンダ３２内のピストン３３を反噴出方向Ｙ２に押圧する。これにより、当初、図２に示すように縦流路３０から相対的に遠い位置に存していたピストン３３は、シリンダ３２内を反噴出方向Ｙ２に摺動して縦流路３０に近づく。こうしてピストン３３によりシリンダ３２内を加圧すると、シリンダ３２内の空気の噴出圧により出側逆止弁３８が開いて縦流路３０と横流路３１とが連通し、シリンダ３２内に存していた空気が、連通路３５、縦流路３０、横流路３１を経て、ノズル４０の噴出孔４１から噴出される。
【００３０】
次に、トリガーレバー７の他端部７１に掛けていた手指を離してトリガーレバー７の加圧操作を解除すると、ピストン３３がスプリング３４により噴出方向Ｙ１に押し戻され、それによりシリンダ３２に吸引圧が生じ、その結果、入側逆止弁３７が開き、容器１０に収容されている液状物が吸引パイプ３９及び縦流路３０を通じてシリンダ３２内に吸引される。
【００３１】
次に、図４に示すように液状物噴出器１を把持して、トリガーレバー７の他端部７１側を後側延出部５側に引き寄せる操作を行うと、今度はシリンダ３２内に吸引された液状物が噴出孔４１から例えば霧状に噴出する。また、このとき吸気孔３６が開いた状態となり、容器１０内へ外気が流入可能となるので、容器１０内の液状物がシリンダ３２に吸引されたことによる容器１０内の負圧が解消され、容器１０の凹みや不用な変形が防止される。
【００３２】
次に、トリガーレバー７の加圧操作を解除すると、前述したのと同様に、容器１０に収容されている液状物が吸引パイプ３９及び縦流路３０を通じてシリンダ３２内に吸引される。以降、このようにしてトリガーレバー７の加圧操作及びその解除を繰り返すことにより、容器１０に収容されている液状物を噴出孔４１から噴出させることができる。
【００３３】
第１実施形態の液状物噴出器１を具備するトリガースプレイヤー１５によれば、トリガーレバー７が、回動軸７０から噴出器本体２（後側延出部５）の下方を反噴出方向Ｙ２に向かって延びており、トリガーレバー７の力点にかける力（握力）の方向が、下方（容器１０側）から上方（噴出器本体２側）に向かう方向であり、噴出方向Ｙ１あるいは反噴出方向Ｙ２と略直交する方向であるため、斯かる力の方向が噴出方向Ｙ１あるいは反噴出方向Ｙ２と略平行である、図８に示す如き従来のトリガースプレイヤー８０に比して、トリガーレバー７の操作性に優れ、特に、腕を下げた状態でのトリガーレバー７の回動操作が容易であり、そのような回動操作を強いられる場合、例えば、床や浴槽の中等の比較的低位置に対して液状物を噴出させる場合であっても、トリガースプレイヤー１５を握る手首を不自然な角度で固定したり、容器１０を極端に傾けたり倒立させたりすることなく、液状物を安定的に噴出することができる。また、通常、人は、手を上げた状態よりも手を下げた状態の方が握力を発揮し易いところ（例えば握力測定時には多くの人が手を下げた状態で測定器を握る）、トリガースプレイヤー１５（液状物噴出器１）においては、人が握力を発揮し易いようにトリガーレバー７が配されているため、その点でもトリガーレバー７の操作性に優れている。また、トリガーレバー７における回動軸７０の近傍から他端部７１に亘る部分が、噴出器本体２の下方（装着部６側）に位置しているため、該部分が噴出器本体２の上方側に位置している場合に比して、液状物噴出器１がコンパクトになり、液状物噴出器１（トリガースプレイヤー１５）の操作性が向上する。
【００３４】
図５〜図７には、本発明の他の実施形態が示されている。後述する本発明の他の実施形態については、前述した第１実施形態と異なる構成部分を主として説明し、同様の構成部分は同一の符号を付して説明を省略する。特に説明しない構成部分は、第１実施形態についての説明が適宜適用される。
【００３５】
図５には、本発明のトリガー式液状物噴出器の第２実施形態が示されている。第２実施形態の液状物噴出器１Ａにおいては、トリガーレバー７Ａが、回動軸７０から下方又は噴出方向Ｙ１に向かって斜め下方に延びる補助指掛け部７４を有している。補助指掛け部７４は、トリガーレバー７Ａにおける、回動軸７０から噴出器本体２の下方を反噴出方向Ｙ２に向かって延びる部分（レバー本体７５）と、一体的に形成されている。液状物噴出器１Ａにおいてトリガーレバー７Ａを回動軸７０周りに回動させる際には、第１実施形態と同様に、レバー本体７５に手指を掛けても良く、あるいは補助指掛け部７４に手指を掛けても良い。補助指掛け部７４は、図８に示す如き従来のトリガースプレイヤー８０におけるトリガーレバー８５と同様の機能を有し、補助指掛け部７４を装着部６側に引き寄せる操作により、トリガーレバー７Ａにおける一端部（回動軸７０）と他端部７１との間の中間部で、ポンプ機構の構成部材（ピストン３３）を押圧することができる。第２実施形態によっても第１実施形態と同様の効果が奏され、特に、トリガーレバー７Ａがレバー本体７５に加えて補助指掛け部７４を有しており、両者を適宜選択して用いることが可能であるため、トリガーレバー７Ａの操作性がより一層向上しており、低位置のみならず、手を上げた状態でのトリガーレバー７Ａの回動操作が強いられるような高位置に対しても、液状物を安定的に噴出することができる。
【００３６】
図６には、本発明のトリガー式液状物噴出器の第３実施形態が示されている。第３実施形態の液状物噴出器１Ｂにおいては、装着部６を液状物噴出器１Ｂの前後方向（噴出方向Ｙ１あるいは反噴出方向Ｙ２）と直交する左右方向に二分する、仮想直線（図示せず）を引いた場合に、トリガーレバー７Ｂの一部が、該仮想直線を挟んで一方側（左側）のみに存し他方側（右側）には存していない点で、トリガーレバー７の一部が該仮想直線を挟んで一方側及び他方側の両方に存していた第１実施形態と異なる。第３実施形態によっても第１実施形態と同様の効果が奏され、特に、トリガーレバー７Ｂの構成が比較的簡単で生産性に優れる。
【００３７】
図７には、本発明のトリガー式液状物噴出器の第４実施形態が示されている。第４実施形態の液状物噴出器１Ｃは、前述した第２及び第３実施形態の特長部分を組み合わせたものであり、トリガーレバー７Ｃが、回動軸７０から下方又は噴出方向Ｙ１に向かって斜め下方に延びる補助指掛け部７４を有しており、且つ、装着部６を液状物噴出器１Ｃの前後方向と直交する左右方向に二分する仮想直線（図示せず）を引いた場合に、トリガーレバー７Ｃの一部（レバー本体７５）が、該仮想直線を挟んで一方側（左側）のみに存している。
【００３８】
本発明のトリガー式液状物噴出器及びトリガースプレイヤーによって噴出させる液状物に特に制限はなく、本発明は、液状の糊剤、洗浄剤、漂白剤、防臭消臭剤等の液状物の噴出に好ましく使用される。本発明は、前述したトリガーレバーの優れた操作性により、特に液状物が付与される部位が、床や浴槽の中等の比較的低位置である場合に有効であり、そのような低位置に付与されることが多い液状物の噴出、例えば、洗浄剤、漂白剤の噴出に有効である。本発明が特に有効な液状物の一例として、次亜塩素酸ナトリウムを含む液状物、特に次亜塩素酸ナトリウム及び界面活性剤を含む液状物が挙げられる。
【００３９】
本発明は、前記実施形態に制限されない。例えば、ノズル４０に、使用時には噴出孔４１を開放し、非使用時には噴出孔４１を閉鎖する開閉蓋を設けても良い。また、第１実施形態における指掛け部２７は、噴出器本体２の上面２５の低位置部２５Ｂに設けられていたが、高位置部２５Ａに設けられていても良い。また、第１実施形態における指掛け部２７は、噴出器本体２の外面（上面２５）にリング部材２８を設けることで形成されていたが、指掛け部２７は、噴出器本体２の任意の位置に設けることができ、例えば、後側延出部５（トリガーレバー７の他端部７１側の上方に位置する部分）に、該後側延出部５を噴出方向Ｙ１と直交する方向に延びる貫通孔を穿設し、該貫通孔を指掛け部２７とすることができ、その場合、リング部材２８は不要である。
【００４０】
また、第３実施形態におけるトリガーレバー７Ｂ及び第４実施形態におけるトリガーレバー７Ｃは、それぞれ、図６又は図７において液状物噴出器１Ｂ、１Ｃ（トリガースプレイヤー）を左側から見た場合に（即ち正面視において）、左側に存しており、主として左手を利き手とする使用者に有用になされていたが、右側に存していても良く、その場合、主として右手を利き手とする使用者に有用である。
【００４１】
また、本発明のトリガー式液状物噴出器は、一部の構成部材（例えば噴出器本体、装着部、トリガーレバー）が着脱自在になっていても良い。前述した一の実施形態のみが有する部分は、すべて適宜相互に利用できる。
【符号の説明】
【００４２】
１，１Ａ，１Ｂ，１Ｃ  トリガー式液状物噴出器
１０，９０  容器
１１，９１  口頸部
１５，８０  トリガースプレイヤー
２，８２  噴出器本体
２０  縦管体
２１  横管体
２２  カバー体
２５  噴出器本体の上面
２５Ａ  高位置部
２５Ｂ  低位置部
２６  段差部
２７  指掛け部
３  装着部上方部
３０  縦流路
３１  横流路
３２  シリンダ
３３，８８  ピストン
３４  スプリング
４  前側延出部
４０，８１  ノズル
４１  噴出孔
５  後側延出部
６，８３  装着部
７，７Ａ，７Ｂ，７Ｃ，８５  トリガーレバー
７０，８６  トリガーレバーの回動軸
７１，８７  トリガーレバーの他端部
７２  凹面部（ピストンの作用点）
７３  貫通孔
７４  補助指掛け部
７５  レバー本体
Ｘ  縦方向
Ｙ１  液状物の噴出方向
Ｙ２  液状物の噴出方向とは反対方向（反噴出方向）
【図１】
2013132625.tif 000003
【図２】
2013132625.tif 000004
【図３】
2013132625.tif 000005
【図４】
2013132625.tif 000006
【図５】
2013132625.tif 000007
【図６】
2013132625.tif 000008
【図７】
2013132625.tif 000009
【図８】
2013132625.tif 000010